【手続補正書】
【提出日】平成18年6月19日(2006.6.19)
【手続補正１】
【補正対象書類名】特許請求の範囲
【補正対象項目名】全文
【補正方法】変更
【補正の内容】
【特許請求の範囲】
【請求項１】
コンテンツを構成する動画像データおよび／または音声データを格納したコンテンツファイルを記録媒体から読み出して再生するコンテンツ再生装置であって、
記録媒体へのファイルの記録および記録媒体からのファイルの読み出しを行う記録・読出し手段と、
前記コンテンツファイルのフォーマットを解釈して画像データおよび／または音声データを抽出するフォーマット解釈手段と、
コンテンツファイルの再生開始位置を示すレジューム情報を作成するレジューム情報管理手段と、
入力されたコマンドを処理するコマンド処理手段とを備え、
前記コマンド処理手段がストップコマンドを受信した際に、
前記レジューム情報管理手段はコンテンツの再生が中断された時点から当該コンテンツの次回再生時におけるレジューム情報を作成して前記記録媒体上のファイルに前記レジューム情報をコンテンツファイルと１対１に対応付けて記録することを特徴とするコンテンツ再生装置。
【請求項２】
レジューム情報を解釈して前記レジューム情報からコンテンツファイルの再生開始位置を得るレジューム情報解釈手段を備え、
前記フォーマット解釈手段は前記再生開始位置に対応した動画像データおよび／または音声データの読み出し開始位置をコンテンツファイルのフォーマットに応じて決定することを特徴とする請求項１に記載のコンテンツ再生装置。
【請求項３】
前記レジューム情報管理手段は前記レジューム情報を記録するためのファイルをコンテンツファイル毎に作成することを特徴とする請求項１または２に記載のコンテンツ再生装置。
【請求項４】
前記レジューム情報管理手段は前記レジューム情報をコンテンツファイルに記録することを特徴とする請求項１または２に記載のコンテンツ再生装置。
【請求項５】
レジューム情報の再生開始位置で示されるフレームまたはその近傍に存在するフレームを代表画像として一覧表示を行うことを特徴とする請求項１または２に記載のコンテンツ再生装置。
【請求項６】
レジューム情報の作成日時順にコンテンツファイルの見出し情報の一覧表示を行うことを特徴とする請求項１または２に記載のコンテンツ再生装置。
【請求項７】
前記フォーマット解釈手段は前記コンテンツファイルの再生開始位置に対応した第１の読み出し位置と当該第１の読み出し開始位置よりも時間的に前の位置に対応した第２の読み出し位置とを決定し、
前記第２の再生開始位置と第１の再生開始位置との間のコンテンツの概略を再生することを特徴とする請求項１または２に記載のコンテンツ再生装置。
【請求項８】
コンテンツを構成する動画像データおよび／または音声データを記録媒体に記録したコンテンツファイルを再生するコンテンツ再生装置であって、
記録媒体に記録されているコンテンツファイルを管理するためのコンテンツ管理手段を備え、
前記コンテンツ管理手段はコンテンツファイルを複製または移動または削除する際に前記コンテンツファイルと１対１に対応付けられたレジューム情報ファイルを複製または移動または削除することを特徴とするコンテンツ再生装置。
【請求項９】
コンテンツを構成する動画像データおよび／または音声データを格納したコンテンツファイルと、
前記コンテンツの再生が中断された場合の次回再生時における再生開始位置を示すレジューム情報を格納したファイルとを１対１に対応付けて記録した記録媒体。
【手続補正２】
【補正対象書類名】明細書
【補正対象項目名】発明の名称
【補正方法】変更
【補正の内容】
【発明の名称】コンテンツ再生装置およびコンテンツファイルを記録した記録媒体
【手続補正３】
【補正対象書類名】明細書
【補正対象項目名】０００１
【補正方法】変更
【補正の内容】
【０００１】
本発明は、記録媒体に記録されたコンテンツを読み出して再生するコンテンツ再生装置およびコンテンツファイル記録した記録媒体に関する。
【手続補正４】
【補正対象書類名】明細書
【補正対象項目名】０００６
【補正方法】変更
【補正の内容】
【０００６】
本発明は、以上のような問題点を解決するためになされたものであって、その目的は、コンテンツに対応させてレジューム情報を複数記録することでユーザの利便性を向上させることの可能なコンテンツ再生装置およびコンテンツファイル記録した記録媒体を提供することにある。
【手続補正５】
【補正対象書類名】明細書
【補正対象項目名】０００７
【補正方法】変更
【補正の内容】
【０００７】
本発明に係るコンテンツ再生装置は、コンテンツを構成する動画像データおよび／または音声データを格納したコンテンツファイルを記録媒体から読み出して再生するコンテンツ再生装置であって、記録媒体へのファイルの記録および記録媒体からのファイルの読み出しを行う記録・読出し手段と、前記コンテンツファイルのフォーマットを解釈して画像データおよび／または音声データを抽出するフォーマット解釈手段と、コンテンツファイルの再生開始位置を示すレジューム情報を作成するレジューム情報管理手段と、入力されたコマンドを処理するコマンド処理手段とを備え、前記コマンド処理手段がストップコマンドを受信した際に、前記レジューム情報管理手段はコンテンツの再生が中断された時点から当該コンテンツの次回再生時におけるレジューム情報を作成して前記記録媒体上のファイルに前記レジューム情報をコンテンツファイルと１対１に対応付けて記録することを特徴とする。
【手続補正６】
【補正対象書類名】明細書
【補正対象項目名】０００８
【補正方法】変更
【補正の内容】
【０００８】
本発明に係るコンテンツ再生装置は、さらに、レジューム情報を解釈して前記レジューム情報からコンテンツファイルの再生開始位置を得るレジューム情報解釈手段を備え、前記フォーマット解釈手段は前記再生開始位置に対応した動画像データおよび／または音声データの読み出し開始位置をコンテンツファイルのフォーマットに応じて決定することを特徴とする。
【手続補正７】
【補正対象書類名】明細書
【補正対象項目名】０００９
【補正方法】変更
【補正の内容】
【０００９】
本発明に係るコンテンツ再生装置は、前記レジューム情報管理手段は前記レジューム情報を記録するためのファイルをコンテンツファイル毎に作成することを特徴とする。
【手続補正８】
【補正対象書類名】明細書
【補正対象項目名】００１０
【補正方法】変更
【補正の内容】
【００１０】
本発明に係るコンテンツ再生装置は、前記レジューム情報管理手段は前記レジューム情報をコンテンツファイルに記録することを特徴とする。
【手続補正９】
【補正対象書類名】明細書
【補正対象項目名】００１１
【補正方法】変更
【補正の内容】
【００１１】
本発明に係るコンテンツ再生装置は、レジューム情報の再生開始位置で示されるフレームまたはその近傍に存在するフレームを代表画像として一覧表示を行うことを特徴とする。
【手続補正１０】
【補正対象書類名】明細書
【補正対象項目名】００１２
【補正方法】変更
【補正の内容】
【００１２】
本発明に係るコンテンツ再生装置は、レジューム情報の作成日時順にコンテンツファイルの見出し情報の一覧表示を行うことを特徴とする請求項１または２に記載のコンテンツ再生装置。
【手続補正１１】
【補正対象書類名】明細書
【補正対象項目名】００１３
【補正方法】変更
【補正の内容】
【００１３】
本発明に係るコンテンツ再生装置は、前記フォーマット解釈手段は前記コンテンツファイルの再生開始位置に対応した第１の読み出し位置と当該第１の読み出し開始位置よりも時間的に前の位置に対応した第２の読み出し位置とを決定し、
前記第２の再生開始位置と第１の再生開始位置との間のコンテンツの概略を再生することを特徴とする。
【手続補正１２】
【補正対象書類名】明細書
【補正対象項目名】００１４
【補正方法】変更
【補正の内容】
【００１４】
本発明に係るコンテンツ再生装置は、コンテンツを構成する動画像データおよび／または音声データを記録媒体に記録したコンテンツファイルを再生するコンテンツ再生装置であって、記録媒体に記録されているコンテンツファイルを管理するためのコンテンツ管理手段を備え、前記コンテンツ管理手段はコンテンツファイルを複製または移動または削除する際に前記コンテンツファイルと１対１に対応付けられたレジューム情報ファイルを複製または移動または削除することを特徴とする。
【手続補正１３】
【補正対象書類名】明細書
【補正対象項目名】００１５
【補正方法】変更
【補正の内容】
【００１５】
本発明に係る記録媒体は、コンテンツを構成する動画像データおよび／または音声データを格納したコンテンツファイルと、前記コンテンツの再生が中断された場合の次回再生時における再生開始位置を示すレジューム情報を格納したファイルとを１対１に対応付けて記録したものである。
【手続補正１４】
【補正対象書類名】明細書
【補正対象項目名】００１６
【補正方法】削除
【補正の内容】